(57)【要約】【課題】我が国の現在の森林資源を有効に活用し得る木造建築物を提供する。【解決手段】垂直に立てられた複数本の柱４と、その柱４間に掛け渡された梁、桁、胴差し等の横架材５と、を有する木造建築物において、前記柱４，４０は、断面略正方形で１辺が約９０ｍｍの構成材１５ａ〜１５ｃを少なくとも３本使用すると共に各構成材１５ａ〜１５ｃを当接状態に纏めて構成し、前記横架材５は、断面略正方形で１辺が約９０ｍｍの構成材１６ａ〜１６ｃを少なくとも３本使用すると共に各構成材１６ａ〜１６ｃを上下方向に積み重ねて一体に接合してなる。  【選択図】        図１
2012082609.tif 000002
【特許請求の範囲】
【請求項１】
垂直に立てられた複数本の柱と、その柱間に掛け渡された梁、桁、胴差し等の横架材と、を有する木造建築物において、
前記柱は、断面略正方形で１辺が約９０ｍｍの構成材を少なくとも３本使用すると共に各構成材を当接状態に纏めて構成し、
前記横架材は、断面略正方形で１辺が約９０ｍｍの構成材を少なくとも３本使用すると共に各構成材を上下方向に積み重ねて一体に接合してなることを特徴とする木造建築物。
【請求項２】
コーナー部分に位置する前記柱は、１本の構成材の隣り合う２面に他の２本の構成材を当接させて少なくとも３本を平面視Ｌ字形に組み合わせて構成し、
非コーナー部分に位置する前記柱は、少なくとも３本を平面視Ｉ字形に組み合わせて構成したものであることを特徴とする請求項１記載の木造建築物。
【請求項３】
前記構成材は、間伐材を原料とすることを特徴とする請求項１又は２に記載の木造建築物。
【発明の詳細な説明】
【技術分野】
【０００１】
本発明は、木造建築物に関する。
【背景技術】
【０００２】
我が国の住宅は、コンクリート製の基礎の上に木製の土台を設置し、その土台上に複数本の柱を立て、その柱間に梁、桁、胴差し等の横架材を掛け渡して骨組みを形成し、その骨組みに外パネルや内パネルを接合するようにした、いわゆる木造軸組工法によるものが多い。
このような木造軸組工法では、柱や横架材の強度が重要になるため、例えば強度が要求されるコーナー部分の柱（隅柱）では１０５ｍｍ×１０５ｍｍや１２０ｍｍ×１２０ｍｍ程度の木材が使われる。なお、このような柱を鉄骨に置き換えるようにした技術も存在する（特許文献１参照）。
【先行技術文献】
【特許文献】
【０００３】
【特許文献１】特開平１０−１４７９７７号公報
【発明の概要】
【発明が解決しようとする課題】
【０００４】
近年、我が国では林業の衰退が問題になっている。林業が衰退すると山が荒れ、その影響は、雨水を介して河川に及び最終的には海の環境をも悪化させる。衰退した林業を立て直すには国産材の需要を高めればよいのであるが、現在の我が国の森林資源構成では１２０ｍｍ×１２０ｍｍの木材になり得る木の割合が少なく（例えば岐阜県で約１０％）、それ故高価である。そのため特許文献１のように木材を鉄骨に置き換えたり、輸入材を使用する、という方向に流れやすく、結果として国産材の需要が減り、我が国の林業がさらに衰退する、という悪循環に陥っている。
【０００５】
本発明は、上記に鑑みなされたもので、その目的は、我が国の現在の森林資源を有効に活用し得る木造建築物を提供し、ひいては林業の活性化を図ることにある。
【課題を解決するための手段】
【０００６】
上記の目的を達成するため本発明は、
垂直に立てられた複数本の柱と、その柱間に掛け渡された梁、桁、胴差し等の横架材と、を有する木造建築物において、
前記柱は、断面略正方形で１辺が約９０ｍｍの構成材を少なくとも３本使用すると共に各構成材を当接状態に纏めて構成し、
前記横架材は、断面略正方形で１辺が約９０ｍｍの構成材を少なくとも３本使用すると共に各構成材を上下方向に積み重ねて一体に接合してなる木造建築物を提供する。
【０００７】
また、請求項２に記載したように、コーナー部分に位置する前記柱は、１本の構成材の隣り合う２面に他の２本の構成材を当接させて少なくとも３本を平面視Ｌ字形に組み合わせて構成し、
非コーナー部分に位置する前記柱は、少なくとも３本を平面視Ｉ字形に組み合わせて構成したものである請求項１記載の木造建築物を提供する。
【０００８】
また、請求項３に記載したように、前記構成材は、間伐材を原料とする請求項１又は２に記載の木造建築物を提供する。
【発明の効果】
【０００９】
９０ｍｍ角の細い構成材を少なくとも３本の組にして柱や横架材にすれば、大口径の柱や横架材に劣らない強度と耐久性が実現できる。したがって本発明の木造建築物は、大口径の柱や横架材を使わずに従来の木造建築物に劣らない強度と耐久性を発揮する。しかも、柱の幅が９０ｍｍであるため壁厚が薄くなり、その分室内空間を広くすることができる。
例えば岐阜県の森林資源構成は、１２０ｍｍ×１２０ｍｍの木材に対応できなくとも１００ｍｍ×１００ｍｍや１１０ｍｍ×１１０ｍｍの木材に対応可能な木が約４５％を占めるから、本発明を実施することにより、この森林資源が有効に活用できる。もちろん、山の手入れで必然的に発生する間伐材をも有効に活用することができる。したがって、国産材の需要を喚起して林業の活性化に貢献し、ひいては山の健全化を通じて環境改善にも貢献し得る。
【図面の簡単な説明】
【００１０】
【図１】土台と柱と横架材の接合状態を示す斜視図である。
【図２】（ａ），（ｂ）は柱の分解斜視図である。
【図３】横架材の分解斜視図である。
【図４】木造建築物を示す概略の横断平面図である。
【図５】木造建築物を示す要部の縦断面図である。
【発明を実施するための形態】
【００１１】
以下に本発明の実施の形態を図面を参照しつつ説明する。
実施形態の木造建築物１は、図４，図５に示したようにコンクリート製の基礎２の上に木製の土台３を設置し、その土台３上に適宜な金具（図示せず）を介して複数本の柱（管柱）４，４…，４０，４０…を立て、その柱４，４０間に梁、桁、胴差し等の横架材５を掛け渡して骨組みを形成し、さらにその骨組みの外側に外パネル６を設置すると共に内側に内パネル７を設置し、その外パネル６と内パネル７の間に断熱材８を介装してなる。
【００１２】
実施形態の木造建築物１は２階建てであって、図５に示したように、前記横架材５（胴差し）の上に１階と同様の柱４，４０が建てられており、その柱４，４０の上に屋根（図示せず）が設けられている。なお、図５は木造建築物１の開口部を断面にして示したものであり、アルミ製の縁枠９に引き違い構造のガラス戸１０，１０が嵌め込まれている。その他、図５において、１１は大引き、１２は根太、１３は床板、１４は床下断熱材である。
【００１３】
［柱］
柱４，４０は、図２（ａ），（ｂ）に示したように、小径材又は間伐材から加工した断面略正方形で１辺が約９０ｍｍの構成材１５ａ〜１５ｃを、例えば３本当接状態に纏めて形成したものである。具体的には、コーナー部分に位置する柱４（隅柱）は、図２（ａ）に示したように１本の構成材１５ａの隣り合う２面に他の２本の構成材１５ｂ，１５ｃを当接させて平面視Ｌ字形に組み合わせて形成され、残りの柱４０は、図２（ｂ）に示したように３本の構成材１５ａ〜１５ｃを平面視Ｉ字形に組み合わせて形成されている。なお、実施形態の各構成材１５ａ〜１５ｃ同士は、非接合状態になっているが、より強度を高めるために接着剤等で一体に接合してももちろんよい。
【００１４】
［横架材］
横架材５は、図３に示したように小径材又は間伐材から加工した断面略正方形で１辺が約９０ｍｍの構成材１６ａ〜１６ｃを、例えば３本当接状態に纏めて形成したものである。具体的に横架材５は、３本の構成材１６ａ〜１６ｃを上下方向に積み重ね、重ね上げた構成材１６ａ〜１６ｃにボルト１７を通してナット１８で接合してなる。
【００１５】
前記柱４，４０と横架材５は、周知の建築用の連結金具１９で接合されるが、実施形態では柱４０が３本であることを利用し、構成材１５ａ〜１５ｃの中心に位置する構成材１５ｂを高くして柱４０の頂部を正面視凸形に形成すると共に図１の破線で示したように両横の構成材１５ａ，１５ｃの頂部に横架材５の端部を載せるようにしてある。
【００１６】
なお、図示しないが、実施形態の木造建築物１の骨組みには、上記柱４，４０の間に間柱や筋交い等が適宜設けられている。
【００１７】
以上、本発明を実施の形態について説明したが、もちろん本発明は上記実施形態に限定されるものではない。例えば、実施形態では構成材１５ａ〜１５ｃ，１６ａ〜１６ｃの本数を３本にしたが、それ以上の本数にしてもよい。
また、実施形態では横架材５の構成材１６ａ〜１６ｃを一体に接合する手段としてボルト１７とナット１８を使用したが、構成材１６ａ〜１６ｃ同士を接着剤で接着したり、或は構成材１６ａ〜１６ｃの側面に金具を宛がい、その金具を介して構成材１６ａ〜１６ｃ同士を一体に接合してもよい。
【符号の説明】
【００１８】
１  …木造建築物
４，４０  …柱
１５ａ〜１５ｃ  …構成材
１６ａ〜１６ｃ  …構成材
【図１】
2012082609.tif 000003
【図２】
2012082609.tif 000004
【図３】
2012082609.tif 000005
【図４】
2012082609.tif 000006
【図５】
2012082609.tif 000007